(57)【特許請求の範囲】
【請求項１】
トナー像を形成する画像形成部と、
駆動ローラーおよび従動ローラーに張架され、当該駆動ローラーおよび従動ローラーの間を無端走行する中間転写ベルトであって、前記画像形成部から外周面にトナー像が転写される中間転写ベルトと、
前記中間転写ベルトを介して前記駆動ローラーに対向する位置に配置され、前記駆動ローラーとのニップ部において前記中間転写ベルトの外周面に形成されたトナー像を記録紙に転写させる転写ローラーと、
前記転写ローラーよりも前記中間転写ベルトの走行方向における下流側、かつ、前記中間転写ベルトを介して前記駆動ローラーに対向する位置に配置され、前記中間転写ベルトの外周面に残存する残存トナーを帯電させる帯電部材と、
前記帯電部材よりも前記中間転写ベルトの走行方向における下流側、かつ、前記中間転写ベルトを介して前記従動ローラーに対向する位置に配置され、前記中間転写ベルトの外周面に接触して前記中間転写ベルトの外周面に残存する残存トナーを電気的に吸着して回収するファーブラシを有する清掃部と、
前記帯電部材にトナーの正規帯電極性と同極性のバイアスを印加する電源装置と、前記転写ローラーを接地する接地部とを有し、前記帯電部材と前記転写ローラーとの間に電位差を与え、前記帯電部材から前記駆動ローラーを通り前記転写ローラーへと流れる前記正規帯電極性と同極性の電流を生じさせる電位差付与部と、を備える画像形成装置。
【請求項２】
前記帯電部材は、ブラシである、請求項１に記載の画像形成装置。
【請求項３】
前記ブラシは、前記駆動ローラーの回転軸と同方向に延びる回転軸を有してブラシ毛が植設された回転ブラシである、請求項２に記載の画像形成装置。
【請求項４】
前記回転ブラシは、前記中間転写ベルトの走行方向に対して順方向又は逆方向に回転駆動される、請求項３に記載の画像形成装置。
【発明の詳細な説明】
【技術分野】
【０００１】
本発明は、画像形成装置に関し、特に、画像形成装置の中間転写ベルト周面上の残存トナーを除去する技術に関する。
【背景技術】
【０００２】
中間転写ベルトに対向する位置に各色の画像形成ユニットが並設され、各色のトナー像を中間転写ベルト上で重ね合わせてカラー画像を形成し、当該カラー画像を２次転写ローラーにより記録紙に転写することで、記録紙上に画像を形成する画像形成装置が知られている。この画像形成装置では、記録紙へのカラー画像の転写後に中間転写ベルトの外周面に残存する残存トナーを電気的に吸着して回収する清掃部が設けられている。
【０００３】
しかしながら、残存トナーの帯電電荷は均一でないため、上記の清掃部だけでは、残存トナーを十分に回収することが困難な場合がある。そこで、清掃部で残存トナーを回収する前に、残存トナーに対して前処理を行う技術が知られている。特許文献１には、清掃部よりも中間転写ベルトの走行方向における上流側に、接地された前処理部材を設けることで、残存トナーの帯電電荷量を調整し、清掃部での残存トナーの回収性を向上させる技術が開示されている。
【先行技術文献】
【特許文献】
【０００４】
【特許文献１】特開２００５−２５０４１１号公報
【発明の概要】
【発明が解決しようとする課題】
【０００５】
しかしながら、上記の特許文献１に開示される技術は、残存トナーの帯電電荷量を調整する力が弱く、大量の残存トナーが発生した場合には、残存トナーを十分に回収することができない。
【０００６】
また、画像形成装置では、カラー画像を２次転写ローラーにより記録紙に転写した後に、中間転写ベルトに記録紙が巻き付く記録紙の分離不良が生じる場合がある。従来の画像形成装置には、記録紙の帯電電荷と逆極性の電荷により記録紙を吸引することで記録紙を分離させる分離針が設けられているが、この分離針だけでは、記録紙を十分に分離することができない場合がある。分離針に加えて記録紙を分離させる新たな構成を設けることも考えられるが、その場合、画像形成装置の構成が複雑になるという問題がある。
【０００７】
本発明は、上記の事情に鑑みなされたものであり、簡易な構成で、中間転写ベルトの外周面に残存する残存トナーを十分に回収することができ、かつ、中間転写ベルトから記録紙を分離することができる画像形成装置を提供することを目的とする。
【課題を解決するための手段】
【０００８】
本発明の一局面にかかる画像形成装置は、画像形成部と、中間転写ベルトと、駆動ローラーと、転写ローラーと、帯電部材と、清掃部と、電位差付与部と、を備える。前記画像形成部は、トナー像を形成する。前記中間転写ベルトは、駆動ローラーおよび従動ローラーに張架され、当該駆動ローラーおよび従動ローラーの間を無端走行する中間転写ベルトであって、前記画像形成部から外周面にトナー像が転写される。前記転写ローラーは、前記中間転写ベルトを介して前記駆動ローラーに対向する位置に配置され、前記駆動ローラーとのニップ部において前記中間転写ベルトの外周面に形成されたトナー像を記録紙に転写させる。前記帯電部材は、前記転写ローラーよりも前記中間転写ベルトの走行方向における下流側、かつ、前記中間転写ベルトを介して前記駆動ローラーに対向する位置に配置され、前記中間転写ベルトの外周面に残存する残存トナーを帯電させる。前記清掃部は、前記帯電部材よりも前記中間転写ベルトの走行方向における下流側、かつ、前記中間転写ベルトを介して前記従動ローラーに対向する位置に配置され、前記中間転写ベルトの外周面に接触して前記中間転写ベルトの外周面に残存する残存トナーを電気的に吸着して回収するファーブラシを有する。前記電位差付与部は、前記帯電部材にトナーの正規帯電極性と同極性のバイアスを印加する電源装置と、前記転写ローラーを接地する接地部とを有し、前記帯電部材と前記転写ローラーとの間に電位差を与え、前記帯電部材から前記駆動ローラーを通り前記転写ローラーへと流れる前記正規帯電極性と同極性の電流を生じさせる。
【発明の効果】
【０００９】
本発明の一局面にかかる画像形成装置によれば、簡易な構成で、中間転写ベルトの外周面に残存する残存トナーを十分に回収することができ、かつ、中間転写ベルトから記録紙を分離することができる。
【図面の簡単な説明】
【００１０】
【図１】本発明の一実施形態にかかる画像形成装置の構造を示す正面断面図である。
【図２】本発明の一実施形態にかかる中間転写ベルト周りの機構を示す側断面図である。
【図３】図２におけるＡ部を拡大した側断面図である。
【図４】一般的な画像形成装置にかかる駆動ローラー周りにおけるトナー及び記録紙の帯電を模式的に示した図である。
【図５】本発明の一実施形態にかかる駆動ローラー周りにおけるトナー及び記録紙の帯電を模式的に示した図である。
【図６】本発明の一実施形態にかかる画像形成装置のクリーニング性能及び記録紙の分離性能を確認する実験の結果を示す図である。
【図７】変形例にかかる画像形成装置のブラシ部の構造を示す側断面図である。
【発明を実施するための形態】
【００１１】
以下、本発明の一実施形態にかかる画像形成装置について図面を参照して説明する。図１は、本発明の一実施形態にかかる画像形成装置の構造を示す正面断面図である。
【００１２】
本発明の一実施形態にかかる画像形成装置１は、例えば、コピー機能、プリンター機能、スキャナー機能、及びファクシミリ機能のような複数の機能を兼ね備えた複合機である。画像形成装置１は、装置本体１１に、操作部４７、画像形成部１２、定着部１３、給紙部１４、原稿給送部６、及び画像読取部５等を備えて構成されている。
【００１３】
操作部４７は、画像形成装置１が実行可能な各種動作及び処理について操作者から画像形成動作実行指示や原稿読取動作実行指示等の指示を受け付ける。
【００１４】
画像形成装置１が原稿読取動作を行う場合、原稿給送部６により給送されてくる原稿、又は原稿載置ガラス１６１に載置された原稿の画像を画像読取部５が光学的に読み取り、画像データを生成する。画像読取部５により生成された画像データは、内蔵ＨＤＤ又はネットワーク接続されたコンピューター等に保存される。
【００１５】
画像形成装置１が画像形成動作を行う場合は、原稿読取動作により生成された画像データ、又はネットワーク接続されたコンピューターから受信した画像データ、又は内蔵ＨＤＤに記憶されている画像データ等に基づいて、画像形成部１２が、給紙部１４から給紙される記録媒体としての記録紙Ｐにトナー像を形成する。画像形成部１２の画像形成ユニット１２Ｍ、１２Ｃ、１２Ｙ、及び１２Ｂｋは、感光体ドラム１２１と、感光体ドラム１２１へトナーを供給する現像装置１２２と、トナーを収容するトナーカートリッジ（不図示）と、帯電装置１２３と、露光装置１２４と、１次転写ローラー１２６とをそれぞれ備えている。
【００１６】
カラー印刷を行う場合、画像形成部１２のマゼンタ用の画像形成ユニット１２Ｍ、シアン用の画像形成ユニット１２Ｃ、イエロー用の画像形成ユニット１２Ｙ及びブラック用の画像形成ユニット１２Ｂｋは、それぞれに、画像データを構成するそれぞれの色成分からなる画像に基づいて、帯電、露光及び現像の工程により感光体ドラム１２１上にトナー像を形成し、トナー像を１次転写ローラー１２６により、駆動ローラー１２５Ａ及び従動ローラー１２５Ｂに張架されている中間転写ベルト１２５上に転写させる。
【００１７】
中間転写ベルト１２５は、その外周面にトナー像が転写される像担持面が設定され、感光体ドラム１２１の周面に当接した状態で駆動ローラー１２５Ａによって駆動される。中間転写ベルト１２５は、各感光体ドラム１２１と同期しながら、駆動ローラー１２５Ａと従動ローラー１２５Ｂとの間を無端走行する。
【００１８】
中間転写ベルト１２５上に転写される各色のトナー画像は、転写タイミングを調整して中間転写ベルト１２５上で重ね合わされ、カラーのトナー像となる。２次転写ローラー２１０は、中間転写ベルト１２５の表面に形成されたカラーのトナー像を、中間転写ベルト１２５を挟んで駆動ローラー１２５Ａとのニップ部Ｎにおいて、給紙部１４から搬送路１９０を搬送されてきた記録紙Ｐに転写させる。この後、定着部１３が、記録紙Ｐ上のトナー像を熱圧着により記録紙Ｐに定着させる。定着処理の完了したカラー画像形成済みの記録紙Ｐは、排出トレイ１５１に排出される。
【００１９】
従動ローラー１２５Ｂに張架された中間転写ベルト１２５部分には、クリーニング装置（清掃部）７０が設けられている。当該クリーニング装置７０は、中間転写ベルト１２５の外周面上に残存するトナーを回収する。
【００２０】
次に、中間転写ベルト１２５周りの機構について説明する。図２は、中間転写ベルト１２５周りの機構を示す側断面図である。図３は、図２におけるＡ部を拡大した側断面図である。
【００２１】
ケーシング５１の一端部には、駆動ローラー１２５Ａが回転自在に支持され、他端部には、従動ローラー１２５Ｂが回転自在に支持されている。また、ケーシング５１内には、駆動ローラー１２５Ａ及び従動ローラー１２５Ｂの他に、テンションローラー１２５Ｃ、１２５Ｄと、各色の１次転写ローラー１２６と、クリーニング装置７０と、ブラシ部（帯電部材）８０等が収容されている。
【００２２】
クリーニング装置７０は、後述するブラシ部８０よりも中間転写ベルト１２５の走行方向における下流側に配置され、従動ローラー１２５Ｂに張架された状態の中間転写ベルト１２５の外周面部分に接触して、当該外周面に残存するトナーを電気的に吸着して回収する。
【００２３】
クリーニング装置７０は、ファーブラシ７１と、回収ローラー７２と、クリーニングブレード７４と、トナー貯留部７５と、トナー搬送スクリュー７６とを有している。
【００２４】
ファーブラシ７１は、従動ローラー１２５Ｂに張架された状態の中間転写ベルト１２５の外周面に接触して、当該外周面上に残存しているトナーを電気的に吸着して回収する。ファーブラシ７１は、例えば、樹脂性のフィラメントからなるブラシ毛を回転軸の全周に巻き付けられて構成されている。ファーブラシ７１の回転軸は、従動ローラー１２５Ｂの回転軸方向に延び、ケーシング５１に軸支されている。
【００２５】
回収ローラー７２は、ファーブラシ７１の表面に接触して、ファーブラシ７１が回収したトナーをファーブラシ７１から電気的に吸着して回収する。回収ローラー７２の回転軸は、ファーブラシ７１の回転軸方向に延び、ケーシング５１に軸支されている。
【００２６】
クリーニングブレード７４は、平板状部材からなり、回収ローラー７２の回転軸方向に延びる。クリーニングブレード７４は、先端部が回収ローラー７２の表面に接触するようにケーシング５１に取り付けられている。クリーニングブレード７４は、回収ローラー７２の表面から、回収ローラー７２が回収したトナーを掻き取る。当該掻き取られたトナーは、トナー貯留部７５に落下して溜まる。
【００２７】
トナー貯留部７５には、トナー搬送スクリュー７６が設けられている。トナー搬送スクリュー７６は、回収ローラー７２の回転軸方向に延び、その回転軸はケーシング５１に軸支されている。トナー搬送スクリュー７６の回転軸の周面には、螺旋状にトナー搬送羽根（不図示）が設けられており、当該トナー搬送羽根によって、トナー貯留部７５内のトナーが、回転軸方向における所定位置に集められる。これにより、中間転写ベルト１２５外周面上の残存トナーが回収される。
【００２８】
次に、ブラシ部８０について説明する。ブラシ部８０は、クリーニング装置７０よりも中間転写ベルト１２５の走行方向における上流側、かつ、２次転写ローラー２１０よりも中間転写ベルト１２５の走行方向における下流側であって、中間転写ベルト１２５を介して駆動ローラー１２５Ａに対向する位置に配置されている。ブラシ部８０は、固定ブラシであって、上記の位置において、中間転写ベルト１２５の外周面にそのブラシ面が接触するように配置されている。
【００２９】
図３に示すように、ブラシ部８０は、電源装置８１と接続されている。画像形成動作時において、ブラシ部８０には、電源装置８１からバイアスが印加される。ここで、記録紙Ｐへのカラー画像の転写後に中間転写ベルト１２５の外周面に残存する残存トナーの帯電電荷は均一でない。例えば、中間転写ベルト１２５から記録紙Ｐが分離する際に生じる剥離放電等により、正規帯電極性（本実施形態ではプラス）とは逆極性（本実施の形態ではマイナス）に帯電する残存トナーが存在する。ブラシ部８０は、電源装置８１から正規帯電極性と同極性のバイアスが印加されることで、ブラシ部８０に対向する位置の残存トナーを正規帯電極性に帯電させる。これにより、残存トナーの帯電電荷を均一にすることができ、クリーニング装置７０での残存トナーの回収性を向上させることができる。
【００３０】
２次転写ローラー２１０は、中間転写ベルト１２５を介して駆動ローラー１２５Ａに対向する位置に配置されている。２次転写ローラー２１０は、従動ローラー１２５Ｂの回転軸と同方向に延びる回転軸２１１を有し、当該回転軸を回転中心として、従動ローラー１２５Ｂの回転方向とは反対方向に回転する。
【００３１】
２次転写ローラー２１０は、接地部８２を有し、フレーム接地等により電気的に接地されている。これにより、電源装置８１と接続され正規帯電極性と同極性のバイアスが印加されているブラシ部８０と、２次転写ローラー２１０との間には電位差が生じる。詳細は後述するが、この電位差により、ブラシ部８０から駆動ローラー１２５Ａを通り２次転写ローラー２１０へと流れる正規帯電極性と同極性の電流が生じ、ブラシ部８０と２次転写ローラー２１０との間の中間転写ベルト１２５上に位置する残存トナーが正規帯電極性と同極性の電荷が付与される。
【００３２】
次に、駆動ローラー１２５Ａ周りにおけるトナー及び記録紙Ｐの帯電について説明する。まず、ブラシ部８０、電源装置８１、及び接地部８２を設置しない一般的な画像形成装置について説明する。図４は、一般的な画像形成装置にかかる駆動ローラー１２５Ａ周りにおけるトナー及び記録紙Ｐの帯電を模式的に示した図である。
【００３３】
図４に示すように、駆動ローラー１２５Ａと２次転写ローラー２１０とからなるニップ部Ｎに進入するトナーは、図中のＴ0に示すように、正規帯電極性（プラス）に帯電しており、このトナーを担持する転写ベルトの表面もプラスの極性に帯電している。また、給紙部１４から搬送路１９０を搬送されてきた記録紙Ｐにトナーを転写した後、中間転写ベルト１２５から記録紙Ｐが分離する際には、剥離放電が発生する。この剥離放電により、記録紙Ｐの表面は、図中のＴ2に示すようにプラスの極性に帯電する。一方、記録紙Ｐに転写後に中間転写ベルト１２５上に残存する残存トナーの一部は、上記の剥離放電により、図中のＴ1に示すように正規帯電極性とは逆極性のマイナスの極性に帯電する。この結果、この残存トナーを担持する中間転写ベルト１２５の表面もマイナスの極性に帯電する。
【００３４】
上記のように、転写後の記録紙Ｐの表面の極性（プラス）と、転写後の中間転写ベルト１２５の表面の極性（マイナス）とが逆極性になるため、記録紙Ｐと中間転写ベルト１２５との間には静電引力Ｆ1が生じる。その結果、転写ベルト１２５から記録紙Ｐが分離されずに中間転写ベルト１２５に巻き付く分離不良が発生するものと考えられる。
【００３５】
次に、本実施の形態の場合について説明する。図５は、本実施形態にかかる駆動ローラー１２５Ａ周りにおけるトナー及び記録紙Ｐの帯電を模式的に示した図である。
【００３６】
本実施の形態にかかる画像形成装置１において、電源装置８１及び接地部８２は、ブラシ部８０と２次転写ローラー２１０との間に電位差を与える電位差付与部として機能する。当該電位差付与部により付与された電位差により、ブラシ部８０から駆動ローラー１２５Ａを通り２次転写ローラー２１０へと流れる正規帯電極性と同極性（プラス）の電流（Ｅ1、Ｅ2）が生じている。この電流の流れは、２つの経路をたどる。１つ目は、ブラシ部８０から中間転写ベルト１２５を突き抜け、駆動ローラー１２５Ａの内部を通り、２次転写ローラー２１０に到達する電流の流れ（Ｅ1）である。２つ目は、ブラシ部８０から中間転写ベルト１２５の表面を伝い、２次転写ローラー２１０に到達する電流の流れ（Ｅ2）である。このうち、２つ目の電流の流れＥ2は、ブラシ部８０と２次転写ローラー２１０との間の中間転写ベルト１２５上に位置する正規帯電極性とは逆極性のマイナスの極性に帯電した残存トナーに対して正規帯電極性と同極性の電荷を付与し、残存トナーを正規帯電極性に帯電させる機能を果たす。これにより、図中のＴ4に示すように、残存トナーが正規帯電極性に帯電し、この残存トナーを担持する中間転写ベルト１２５の表面は正規帯電極性と同極性に帯電する。転写後の記録紙Ｐの表面の極性（プラス）と、転写後の中間転写ベルト１２５の表面の極性（プラス）とが同極性になるため、記録紙Ｐと中間転写ベルト１２５との間には反発力Ｆ2が生じる。その結果、中間転写ベルト１２５から記録紙Ｐが良好に分離される。
【００３７】
また、図中のＴ5に示すように、ブラシ部８０と２次転写ローラー２１０との間の中間転写ベルト１２５上に位置する残存トナーには、電流の流れＥ2からの電荷の付与によってもなお正規帯電極性とは逆極性のマイナスの極性に帯電した残存トナーが存在する。このような残存トナーが、ブラシ部８０に対向する位置に到達すると、正規帯電極性と同極性のバイアスが印加されたブラシ部８０により電気的に吸着され、正規帯電極性と同極性の電荷が付与される。正規帯電極性と同極性の電荷が付与され、正規帯電極性と同極性に帯電すると、残存トナーは、ブラシ部８０から吐き出される。これにより、残存トナーの帯電電荷を均一にすることができ、クリーニング装置７０での残存トナーの回収性を向上させることができる。
【００３８】
＜実験＞
発明者らは、本実施形態にかかる画像形成装置１のクリーニング性能及び記録紙Ｐの分離性能を確認するため実験を行った。クーリング性能を確認する場合、高抵抗紙を用いて高印字率の両面印字を行い、クリーニング装置７０よりも中間転写ベルト１２５の走行方向における下流側において残存トナーが確認されるか否かを調べた。また、記録紙Ｐの分離性能を確認する場合、薄紙（５２ｇ／ｍ2）を用いて印刷を２０回行い、中間転写ベルト１２５から分離した枚数を調べた。
【００３９】
以下に、本実験で用いた、ブラシ部８０、中間転写ベルト１２５、駆動ローラー１２５Ａ、及び２次転写ローラー２１０等の条件を示す。
［ブラシ部８０］
毛の長さ：４．８［ｍｍ］、体積抵抗値：２Ｅ＋７〜２Ｅ＋９［Ω・ｃｍ］、毛の繊度：６．５［ｄ］、密度：２０±５［ＫＦ／ｉｎｃｈ2］、印加する電圧：３．２［ｋＶ］
［中間転写ベルト１２５］
表面抵抗値：１Ｅ＋１０〜１Ｅ＋１１［Ω／ｓｑ］、体積抵抗値：１Ｅ＋９［Ω・ｃｍ］、厚み：４００［μｍ］
［駆動ローラー１２５Ａ］
外径：２４［ｍｍ］、体積抵抗値：１Ｅ＋７［Ω・ｃｍ］
［２次転写ローラー２１０］
外径：２０［ｍｍ］、体積抵抗値：１Ｅ＋７［Ω・ｃｍ］
また、本実施形態にかかる画像形成装置１に加えて、比較例１及び比較例２にかかる画像形成装置についてもクリーニング性能及び記録紙Ｐの分離性能を確認するため実験を行った。
【００４０】
比較例１にかかる画像形成装置は、ブラシ部８０を駆動ローラー１２５Ａに対向する位置に配置するのではなく、クリーニング装置７０の直上流に配置している点、及び、ブラシ部８０に電源装置８１を接続せず、ブラシ部８０を電気的にフロートとしている点において、画像形成装置１と異なっている。また、比較例２にかかる画像形成装置は、ブラシ部８０を駆動ローラー１２５Ａに対向する位置に配置するのではなく、クリーニング装置７０の直上流に配置している点、及び、ブラシ部８０に電源装置８１を接続せず、ブラシ部８０を電気的に接地している点において、画像形成装置１と異なっている。
【００４１】
図６に、実験結果を示す。図６に示すように、本実施の形態にかかる画像形成装置１（実施例）では、クリーニング装置７０よりも中間転写ベルト１２５の走行方向における下流側において残存トナーが確認されなかったのに対して、比較例１及び比較例２にかかる画像形成装置では、残存トナーが確認された。また、画像形成装置１では、薄紙分離枚数が１０枚以上であったのに対して、比較例１及び比較例２にかかる画像形成装置では、薄紙分離枚数が９枚以下であった。
【００４２】
この実験結果から、本実施の形態にかかる画像形成装置１は、中間転写ベルト１２５の外周面に残存する残存トナーを十分に回収することができ、かつ、中間転写ベルト１２５から記録紙Ｐを分離することができていることが分かる。
【００４３】
＜変形例＞
本発明は、上記の実施の形態の構成に限られず種々の変形が可能である。
【００４４】
（１）上記の実施の形態では、ブラシ部８０に電源装置８１を接続して正規帯電極性と同極性のバイアスを印加し、２次転写ローラー２１０を電気的に接地する場合を説明したが、本発明は必ずしもこの場合に限定されない。本発明は、ブラシ部８０と２次転写ローラー２１０との間に電位差を与えることで、ブラシ部８０から駆動ローラー１２５Ａを通り２次転写ローラー２１０へと流れる正規帯電極性と同極性の電流を生じさせればよい。従って、転写ローラー２１０に電源装置を接続して正規帯電極性と逆極性のバイアスを印加し、ブラシ部８０を電気的に接地する構成としてもよい。このような構成をとった場合であっても、ブラシ部８０から駆動ローラー１２５Ａを通り２次転写ローラー２１０へと流れる正規帯電極性と同極性の電流が生じる。
【００４５】
（２）上記の実施の形態では、ブラシ部８０が固定ブラシである場合を説明したが、本発明は必ずしもこの場合に限定されない。図７に示すように、ブラシ部８０に、駆動ローラー１２５Ａの回転軸と同方向に延びる回転軸８３を有してブラシ毛８４が植設された回転ブラシを用いてもよい。また、中間転写ベルト１２５の走行方向に対して順方向または逆方向に回転ブラシを回転駆動させてもよい。このような構成をとった場合であっても、上記の実施の形態で説明したクリーニング効果及び記録紙Ｐの分離効果と同等の効果が得られる。また、中間転写ベルト１２５が摩耗しにくいという効果がある。
【００４６】
（３）上記の実施の形態で説明したブラシ部８０、電源装置８１、及び接地部８２に加えて、記録紙Ｐの帯電電荷と逆極性の電荷により記録紙Ｐを吸引することで記録紙Ｐを分離させる分離針を設けてもよい。このような構成をとった場合、記録紙Ｐをさらに良好に分離することができる。
【００４７】
＜まとめ＞
以上説明したように、上記の実施の形態及び変形例にかかる画像形成装置１では、ブラシ部（帯電部材）８０が、２次転写ローラー（転写ローラー）２１０よりも中間転写ベルト１２５の走行方向における下流側、かつ、中間転写ベルト１２５を介して駆動ローラー１２５Ａに対向する位置に配置され、中間転写ベルト１２５の外周面に残存する残存トナーを正規帯電極性に帯電させる。また、クリーニング装置（清掃部）７０は、ブラシ部８０よりも中間転写ベルト１２５の走行方向における下流側に配置され、中間転写ベルト１２５の外周面に残存する残存トナーを電気的に吸着して回収する。そして、電源装置８１及び接地部８２（電位差付与部）は、ブラシ部８０と２次転写ローラー２１０との間に電位差を与え、ブラシ部８０から駆動ローラー１２５Ａを通り２次転写ローラー２１０へと流れる正規帯電極性と同極性の電流を生じさせる。
【００４８】
上記の構成によれば、ブラシ部８０は、電源装置８１から正規帯電極性と同極性のバイアスが印加されることで、ブラシ部８０に対向する位置の残存トナーに正規帯電極性と同極性の電荷を付与し、残存トナーを正規帯電極性に帯電させる。これにより、残存トナーの帯電電荷を均一にすることができ、クリーニング装置７０での残存トナーの回収性を向上させることができる。また、ブラシ部８０から駆動ローラー１２５Ａを通り２次転写ローラー２１０へと流れる正規帯電極性と同極性の電流により、ブラシ部８０と２次転写ローラー２１０との間の中間転写ベルト１２５上に位置する残存トナーに対して正規帯電極性と同極性の電荷を付与することができる。これにより、残存トナーを担持する中間転写ベルト１２５の表面が正規帯電極性と同極性に帯電し、記録紙Ｐと中間転写ベルト１２５との間に静電反発力が生じる。その結果、中間転写ベルト１２５から記録紙Ｐが良好に分離することができる。
【００４９】
上記のクリーニング効果及び記録紙Ｐの分離効果は、ブラシ部８０、電源装置８１及び接地部８２を設けることで得られる。すなわち、上記の構成によれば、簡易な構成で、中間転写ベルトの外周面に残存する残存トナーを十分に回収することができ、かつ、中間転写ベルトから記録紙Ｐを分離することができる。
【図１】
0006019249.tif 000002
【図２】
0006019249.tif 000003
【図３】
0006019249.tif 000004
【図４】
0006019249.tif 000005
【図５】
0006019249.tif 000006
【図６】
0006019249.tif 000007
【図７】
0006019249.tif 000008